(57)【特許請求の範囲】
【請求項１】
光ケーブル端末の抗張力線を挿入する孔を有し、該孔に挿入された抗張力線をネジ留めする引留めブロックと、該引留めブロックを固定保持する固定台とを備えた光ケーブル端末固定具と、
少なくとも１個以上のスリットを有し、該スリットが前記光ケーブル端末固定具のところで光ケーブルから引き出された複数本の光ファイバ心線を束ねて被う角チューブを把持するように構成された光ファイバ心線把持具本体と、該把持具の上面を被う蓋体とを備えた光ファイバ心線把持具と、
光ケーブル入力側に前記光ケーブル端末固定具が、またその後方の６０ｍｍ〜７０ｍｍの距離に前記光ファイバ心線把持具が取り付けられる台座と、
を備えており、
前記光ファイバ心線把持具本体の側面の下部には底面よりも下方に延出され一部に凹部が設けられて突出形成されたアームと、上部にはロック用突起が形成され、
前記光ファイバ心線把持具本体の上方に、更に光ファイバ心線把持具本体を向きを逆にして重ねると、下段となる前記光ファイバ心線把持具本体に形成されたロック用突起が、上段となる前記光ファイバ心線把持具本体に形成されたアームの凹部に嵌り込んで前記上段と下段の光ファイバ心線把持具本体同士がロックされることにより、前記光ファイバ心線把持具本体を段重ね可能となっていること
を特徴とする光ケーブル引留把持機構。
【請求項２】
前記引留めブロックは円筒形状であって、その両側面には凹溝が形成されているとともに、前記固定台には前記引留めブロックが嵌合する一対の側壁を備え、該側壁には引留めブロックの両側面に形成された凹溝に対向した凸状が形成され、前記引留めブロックを前記固定台に形成された一対の側壁内に嵌合させることで固定保持させるようにしたことを特徴とする請求項１記載の光ケーブル引留把持機構。
【請求項３】
前記台座の両側面の端縁部に形成された長孔に嵌合して前記光ファイバ心線を保護するトンネル状の心線保護カバーを備えたことを特徴とする請求項１記載の光ケーブル引留把持機構。
【発明の詳細な説明】
【技術分野】
【０００１】
本発明は、光ケーブル引留把持機構に関し、詳しくはボード（基板）上に取付けて、通信会社から引かれた光ケーブル（テープ心線等を含む。）を引留め、かつ該光ケーブルから引き出した光ファイバ心線を動かないように把持して、該光ファイバ心線をユーザー側へと送るための光ケーブル引留把持機構に関するものである。
【背景技術】
【０００２】
光ケーブルは、通常、光ファイバ心線と、抗張力線と、外被などから構成されている。この光ケーブルを光ファイバ心線接続部や切替部や分岐部を収納する函体に引き込む場合に、光ケーブルの端部の外被を剥いで光ファイバ心線及び抗張力線を露出させた後に抗張力線を適当な長さに切断して抗張力線と外被を函体の背面基板に固定することになる。
従来から知られている光ケーブルを固定するための固定具としては、光ケーブル端末の抗張力線を挿入する孔を有し、孔に挿入された抗張力線をネジにて固定する引留めブロックと、この引留めブロックを光ケーブル方向に移動しないように保持する固定台とからなるものがある（特許文献１参照）。
【０００３】
しかしながら従来の光ケーブル端末固定具には、次のような問題がある。
すなわち、固定台の引留めブロックを保持する部分は、引留めブロックの両端面を、光ケーブルの軸方向に移動しないように拘束する構造であって、引留めブロックが光ケーブルの回転に伴って回転するのを阻止する機能は有していない。光ケーブルの回転を阻止するのは専ら光ケーブルの外被部分を固定台に縛りつけるバンドである。このため光ケーブルの回転を阻止する力が弱く、光ケーブルに回転力が加わると、引留めブロックも回転してしまい、光ファイバ心線に無理な曲げ応力がかかるおそれがある。
【０００４】
そこで、本出願人は、以前に上記のような課題を解決した光ケーブル端末固定具を提案している。この光ケーブル端末固定具は、光ケーブル端末の抗張力線を挿入する孔を有し、孔に挿入された抗張力線にネジで固定される引留めブロックと、この引留めブロックを光ケーブル方向に移動しないように保持する固定台とを備えた光ケーブル端末固定具であって、前記引留めブロックの、抗張力線挿入孔及びネジを含む平面の両側又は片側の側面に、ネジと同方向に、凹溝又は凸条を形成し、前記固定台に、前記引留めブロックがセットされる部分の両側で相対するように一対の側壁を形成し、この一対の側壁の内面に、前記引留めブロックの凹溝又は凸条とスライド係合する凸条又は凹溝を形成したものである（特許文献２参照）。
【０００５】
そして、この光ケーブル端末固定具を函体の光ケーブル引き込み口付近の基板にに取り付けて、引き込んだ光ケーブルの抗張力線を引留め固定し、そこから光ファイバ心線を配線するようにしている。
【０００６】
また、光ケーブルから引き出された多数の光ファイバ心線は数本ずつ束にして角チューブなどに収納し、同じく函体の基板上に取り付けられた光ケーブル把持具に把持させて移動しないようにしてから次の段階であるケーブル収納トレイやコネクタ収納ケースへと導いている（特許文献３参照）。
【０００７】
【特許文献１】特開平１０−３３２９４７号公報
【特許文献２】特開２００４−２１２８４０号公報
【特許文献３】特開２００４−２１２８９７号公報
【発明の開示】
【発明が解決しようとする課題】
【０００８】
ところで、上記のように、引き込んだ光ケーブルを函体内の背面基板に取り付けられた光ケーブル端末固定具に固定し、そこから引き出された光ファイバ心線を複数本束ねて角チューブに収納し、同じく函体内の背面基板に取り付けられた光ケーブル把持具に把持させる作業は煩雑となるとともに、これらの器具の配置にスペースが取られ、コンパクトにできないという問題がある。
本発明の課題は、光ケーブル端末固定具や光ファイバ心線の把持具をコンパクトに纏め、かつ作業性の良い光ケーブル引留把持機構を提供することにある。
【課題を解決するための手段】
【０００９】
上記課題に鑑み、本発明は次のような手段を採用した。
請求項１記載の光ケーブル引留把持機構は、光ケーブル端末の抗張力線を挿入する孔を有し、該孔に挿入された抗張力線をネジ留めする引留めブロックと、該引留めブロックを固定保持する固定台とを備えた光ケーブル端末固定具と、少なくとも１個以上のスリットを有し、該スリットが前記光ケーブル端末固定具のところで光ケーブルから引き出された複数本の光ファイバ心線を束ねて被う角チューブを把持するように構成された光ファイバ心線把持具本体と、該把持具の上面を被う蓋体とを備えた光ファイバ心線把持具と、光ケーブル入力側に前記光ケーブル端末固定具が、またその後方の６０ｍｍ〜７０ｍｍの距離に前記光ファイバ心線把持具が取り付けられる台座と、を備えており、前記光ファイバ心線把持具本体の側面の下部には底面よりも下方に延出され一部に凹部が設けられて突出形成されたアームと、上部にはロック用突起が形成され、前記光ファイバ心線把持具本体の上方に、更に光ファイバ心線把持具本体を向きを逆にして重ねると、下段となる前記光ファイバ心線把持具本体に形成されたロック用突起が、上段となる前記光ファイバ心線把持具本体に形成されたアームの凹部に嵌り込んで前記上段と下段の光ファイバ心線把持具本体同士がロックされることにより、前記光ファイバ心線把持具本体を段重ね可能となっていることを特徴としている。
【００１０】
また、請求項２記載の光ケーブル引留把持機構は、請求項１記載の発明において、前記引留めブロックは円筒形状であって、その両側面には凹溝が形成されているとともに、前記固定台には前記引留めブロックが嵌合する一対の側壁を備え、該側壁には引留めブロックの両側面に形成された凹溝に対応した凸状が形成され、前記引留めブロックを前記固定台に形成された一対の側壁内に嵌合させることで固定保持させるようにしたことを特徴としている。
さらに、請求項３記載の光ケーブル引留把持機構は、請求項１記載の発明において、台座の両側面の端縁部に形成された長孔に嵌合して前記光ファイバ心線を保護するトンネル状の心線保護カバーを備えたことを特徴としている。
【発明の効果】
【００１１】
請求項１記載の発明によれば、台座上に光ケーブル端末固定具と、その後方に近接して光ファイバ心線把持具とが取り付けられるように構成されているので、光ケーブル心線の引き回し作業が容易となるとともに、コンパクトになるので、光ケーブル引き込み配線部分のスペースが少なくて済むことになる。
【００１２】
請求項２記載の発明によれば、引留めブロックを固定台の一対の側壁内に嵌合することで固定保持させることができ、作業が容易となる。
【００１３】
また、請求項１記載の発明によれば、光ファイバ心線把持具本体が逆向きに段重ね可能に形成されているので、例えば二段にすれば光ファイバ心線の把持数を倍にすることができ、多数の通信ユーザに対応することができる。
【００１４】
請求項３記載の発明によれば、台座の両側面近傍に形成された長孔に嵌合して前記光ファイバ心線を保護するトンネル状の心線保護カバーを備えたので、仮に光ケーブル関係に詳しくない作業者がこれらの器具が取り付けられた部分を触っても、光ファイバ心線に触れるおそれがないので、心線にダメージを与える可能性を軽減させることができる。
【発明を実施するための最良の形態】
【００１５】
以下、本発明に係る光ケーブル引留把持機構の実施の形態を図１〜７を参照して説明する。
なお、図１（ａ）は本実施の形態に係る光ケーブル引留把持機構１０の平面図、（ｂ）は（ａ）のＢ−Ｂ線による断面図、（ｃ）は（ａ）を矢印Ｃ方向から見た図である。なお、図１（ｂ）は光ファイバ心線把持具本体２０上に蓋体３０を被せた状態である。
図に示すように、この光ケーブル引留把持機構は１０は金属製の台座４０を備えている。台座４０は、図４（ａ）、（ｂ）に示すように、両側方に足４１、４１が設けられており、該足４１，４１にはネジ孔４１ａがそれぞれ形成されている。また台座の前部（光ケーブル引き込み方向）はＬ字状に折り曲げ形成された頭部４２を有し、該頭部４２にもネジ孔４２ａが設けられている。これらネジ孔４１ａ、４２ａは台座４０を光ケーブル引き込みに関係する種々の器具が取り付けられる基板（ボード）上にネジ止めするための孔である。なお、図４（ａ）は台座４０の平面図、（ｂ）は（ａ）をＢ方向から見た図である。
【００１６】
また、台座４０には、後部近傍にネジ溝が穿設されたネジ孔４３が直線上に設けられており、これらネジ孔４３は後述する光ファイバ心線把持具本体２０をネジ留めするためのものである。さらに、台座４０の両側面の端縁部にはそれぞれ長孔４４が設けられており、これら長孔４４はトンネル状の心線保護カバー７０（図７参照）を嵌め込むためのものである。
【００１７】
また、台座４０の中央部から前部にかけても長孔４５が設けられており、これら長孔４５は後述する光ケーブル端末固定具５０（図１，図５参照）を嵌め込む孔である。
【００１８】
次に、図１，図５を参照して、台座４０のネジ孔４５を利用し、台座４０上に取り付ける光ケーブル端末固定具５０について説明する。
光ケーブル端末固定具５０は、光ケーブル１の端末の抗張力線２に取り付けられる引留めブロック５１と、この引留めブロック５１を固定する固定台５５とから構成される。
【００１９】
光ケーブル１は、端部の外被３を剥いで光ファイバ心線４及び抗張力線２を露出させ、抗張力線２を引留めに必要な長さに切断しておく。
【００２０】
引留めブロック５１は、中心に光ケーブル端末の抗張力線２を挿入する孔５２を設けた円筒状のもので、前記孔５２に挿入された抗張力線２をネジ５３ａによって固定するようになっている。ネジ５３ａに並設されたネジ５３ｂは接地線９０を留めるもので、引留めブロック５１を接地することにより抗張力線２も接地するように構成されている。また、抗張力線挿入孔５２とネジ５３ａ、５３ｂの軸線は直交しており、引留めブロック５１の、抗張力線挿入孔５２及びネジ５３ａ、５３ｂを含む平面の両側の側面には、これらネジ５３ａ、５３ｂと同方向に、凹溝５４が形成されている。
【００２１】
一方、固定台５５は光ケーブル１の方向に長く、その一端側には一対の側壁５６が一体に形成されており、この側壁５６間に前記引留めブロック５１が装着される。そして、この一対の側壁５６の内面には側壁の高さ方向に凸条５６ａが形成されていて、該凸条５６ａは、引留めブロック５１を一対の側壁５６の間に装着したときに、引留めブロック５１の凹溝５４に入って、引留めブロック５１の軸線方向の移動を阻止すると共に回転を阻止するものである。また、固定台５５の他端側には光ケーブル１の外被３の部分を締め付けるバンド１００（図１参照）を通すためのバンド穴５７が形成されている。
【００２２】
また、固定台５５の光ケーブル１側の面の長手方向中間部は、光ケーブル１の外被３を載せる部分（バンド穴５７を形成した部分）よりも凹ませてある。これは、抗張力線２と固定台５５の間に配線スペースを確保し、抗張力線２の下側にくる光ファイバ心線４を無理なく配線できるようにするためである。
【００２３】
固定台５５に光ケーブル１の端末を固定するには、まず固定台５５を台座４０に取り付けた後、光ケーブル１の抗張力線２を挿通した引留めブロック５１を、凹溝５４を凸条５６ａに沿ってスライドさせるようにして、固定台５５の両側壁５６の間に装着すると共に、バンド穴５７に予め通してあるバンドで光ケーブル１の外被３の部分を締め付ける。最後にネジ５３ａを締め付けて引留めブロック５１に抗張力線２を固定すればよい。
【００２４】
なお、固定台５５の台座４０への取付けは、図４，５，６に示すように、固定台５５の裏面に設けられた若干の弾性を有する種々の突起５８を、台座４０に設けられた長孔４５に嵌合して図４で左側方向に移動させると、しっかりと固定できるように構成されている。なお、固定台５５は難燃性プラスチックで形成されている。
【００２５】
次に、台座４０に取り付ける光ファイバ心線把持具本体２０について、図２を参照して説明する。なお、図２（ａ）は光ファイバ心線把持具本体２０の平面図、（ｂ）は正面図、（ｃ）は右側面図である。
光ファイバ心線把持具本体２０は、略直方体状の難燃性プラスチック基材からなり、その上部には左右に並んで多数のスリット（図では７本）２１が形成されている。各スリット２１の幅は数本束ねた光ファイバ心線を挿通させる角チューブ８０（図１参照）の外径程で、そのスリット２１の内壁には高さ方向に突状のリブ２２が複数形成されており、角チューブ８０をこのスリット２１に圧入するとリブ２２によってしっかりと把持されるようになっている。
【００２６】
また、この光ファイバ心線把持具本体２０は、その底面と面一にそれぞれ前後方向に突出する形状で取付足２３が設けられており、該取付足２３にはそれぞれネジ孔２３ａが形成されていて、該ネジ孔２３ａを前述した台座４０のネジ孔４３に合わせてネジ留めすることで光ファイバ心線把持具本体２０を台座４０に固定するようになっている。
【００２７】
また、光ファイバ心線把持具本体２０には、その両側面の中央部から、底面よりも下方に延出したアーム２４が突出形成されており、該アーム２４には角穴２４ａが設けられているとともに、両側面の上部にはロック用突起２５が突出形成されている。
これにより、光ファイバ心線把持具本体２０の上にもう一個の光ファイバ心線把持具本体２０を向きを反対にして重ねると、これらロック用突起２５がアーム２４の角穴２４ａに嵌り込んでロックすることができるので、段重ねが可能となる。
【００２８】
次に、光ファイバ心線把持具本体２０の上部を被う蓋体３０について、図３を参照して説明する。なお、図３（ａ）は平面図、（ｂ）は正面図、（ｃ）は右側面図である。
蓋体３０も光ファイバ心線把持具本体２０と同じ種類のプラスチックで形成されており、正面視略コ字状の形態となっている。幅奥行きとも光ファイバ心線把持具本体２０とほぼ同寸で、左右側部にはその半部ほどが外側に少し突出して下方に折れ曲がって係合部３１として形成されており、該係合部３１には穴３１ａが設けられている。この蓋体３０を光ファイバ心線把持具本体２０の上部に被せると、光ファイバ心線把持具本体２０の両側面に設けられたロック用突起２５が蓋体３０の係合部３１の穴３１ａに嵌合することで、光ファイバ心線把持具本体２０の上部を被い、スリット２１に圧入した角チューブ８０の飛び出しを防止している。そして、この蓋体３０と光ファイバ心線把持具本体２０とで光ファイバ心線把持具を構成している。
【００２９】
図７は、上述した光ファイバ心線把持具本体２０と光ケーブル端末固定具５０の固定台５５を台座４０上に取り付けた状態の斜視図である。引留めブロック５１や光ファイバ心線把持具本体２０の上面を被う蓋体３０については図示を省略している。
台座４０の、固定台５５と光ファイバ心線把持具本体２０との間隔についてであるが、抗張力線２の下側にくる光ファイバ心線４を無理なく配線できるようにするために固定台５５の凹ませた部分から光ファイバ心線把持具本体２０までの距離が、取り出した光ファイバ心線４を把持具本体２０のどのスリット２１に把持させるとしても、少なくとも心線４が許容される曲率半径を維持できる長さとする必要がある。この長さは、およそ６０ｍｍ〜７０ｍｍが適当で、あまり長くすると、コンパクト化の意味が薄れることになる。
【００３０】
次に、心線保護カバーについて説明する。心線保護カバー７０は、図７に示すように、台座４０の両側面の端縁部に形成された長孔４４に嵌合して光ファイバ心線４を保護するためプラスチックで形成されたトンネル状のカバーである。
光ファイバ心線４は衝撃や曲げには極めて弱いため、このような、カバーを取り付けておけば、作業者が誤ってこの部分に触れても、直接光ファイバ心線に触れるおそれがないので、心線にダメージを与える可能性を軽減させることができる。
【産業上の利用可能性】
【００３１】
本発明に係る光ケーブル引留把持機構は、光ファイバケーブルやテープ心線を引き込んでマンション等のように多数のユーザに対し配線するために好適な部材である。
【図面の簡単な説明】
【００３２】
【図１】（ａ）は本発明に係る光ケーブル引留把持機構の実施の形態の平面図、（ｂ）は（ａ）のＢ−Ｂ線による断面図、（ｃ）は（ａ）を矢印Ｃ方向から見た図である。
【図２】（ａ）光ファイバ心線把持具本体の平面図、（ｂ）は正面図、（ｃ）は右側面図である。
【図３】（ａ）は光ファイバ心線把持具本体の上面を被う蓋体の平面図、（ｂ）は正面図、（ｃ）は右側面図である。
【図４】（ａ）は台座の平面図、（ｂ）は左側面図である。
【図５】光ケーブル端末固定具の固定台と引留めブロックの関係を説明する図である。
【図６】台座に固定台と光ファイバ心線把持具本体を取り付けた状態の斜視図である。
【図７】台座に固定台と光ファイバ心線把持具本体を取り付け、さらに光ファイバ心線保護カバーを装着した状態の斜視図である。
【符号の説明】
【００３３】
１      光ファイバケーブル
２      抗張力線
３      外被
４      光ファイバ心線
１０    光ケーブル引留把持機構
２０    光ファイバ心線把持具本体
４０    台座
５０    光ケーブル端末固定具
５１    引留めブロック
５５    固定台
７０    光ファイバ心線保護カバー
８０    角チューブ
９０    接地線
１００  バンド
【図１】
0004799996.tif 000002
【図２】
0004799996.tif 000003
【図３】
0004799996.tif 000004
【図４】
0004799996.tif 000005
【図５】
0004799996.tif 000006
【図６】
0004799996.tif 000007
【図７】
0004799996.tif 000008